【手続補正書】
【提出日】令和3年10月1日(2021.10.1)
【手続補正１】
【補正対象書類名】明細書
【補正対象項目名】発明の名称
【補正方法】変更
【補正の内容】
【発明の名称】情報処理装置、情報確認支援方法及びプログラム
【手続補正２】
【補正対象書類名】明細書
【補正対象項目名】０００１
【補正方法】変更
【補正の内容】
【０００１】
本発明は、情報処理装置、情報確認支援方法及びプログラムに関する。
【手続補正３】
【補正対象書類名】明細書
【補正対象項目名】０００６
【補正方法】変更
【補正の内容】
【０００６】
上記課題を解決するため、本発明に係る第１の態様の情報処理装置は、実施された取引に関する取引データを電子ジャーナルファイルに記録するとともに前記取引データに基づくレシートを発行する記録制御手段と、複数の取引データのそれぞれが前記電子ジャーナルファイルに記録された際に発行された各レシートの一部の情報をそれぞれ取得し、取得した情報を並べて印刷手段に印刷させる印刷制御手段と、を備えることを特徴とする。
また、本発明に係る第２の態様の情報処理装置は、実施された取引に関する取引データを電子ジャーナルファイルに記録するとともに前記取引データに基づくレシートを発行する記録制御手段と、取引データが前記電子ジャーナルファイルに記録された際に発行されたレシートの一部の情報が省かれたサマリー情報を、複数の取引データを対象にして並べて印刷手段に印刷させる印刷制御手段と、を備え、前記印刷制御手段は、前記サマリー情報をレシートが発行されたときの印刷イメージで前記印刷手段に印刷させる、ことを特徴とする。
また、本発明に係る第１の態様の情報確認支援方法は、情報処理装置が実行する情報確認支援方法であって、実施された取引に関する取引データを電子ジャーナルファイルに記録するとともに前記取引データに基づくレシートを発行する記録制御処理と、複数の取引データのそれぞれが前記電子ジャーナルファイルに記録された際に発行された各レシートの一部の情報をそれぞれ取得し、取得した情報を並べて印刷手段に印刷させる印刷制御処理と、を含むことを特徴とする。
また、本発明に係る第２の態様の情報確認支援方法は、情報処理装置が実行する情報確認支援方法であって、実施された取引に関する取引データを電子ジャーナルファイルに記録するとともに前記取引データに基づくレシートを発行する記録制御処理と、取引データが前記電子ジャーナルファイルに記録された際に発行されたレシートの一部の情報が省かれたサマリー情報を、複数の取引データを対象にして並べて印刷手段に印刷させる印刷制御処理と、を含み、前記印刷制御処理は、前記サマリー情報をレシートが発行されたときの印刷イメージで前記印刷手段に印刷させる、ことを特徴とする。
また、本発明に係る第１の態様のプログラムは、情報処理装置のコンピュータを、実施された取引に関する取引データを電子ジャーナルファイルに記録するとともに前記取引データに基づくレシートを発行する記録制御手段、複数の取引データのそれぞれが前記電子ジャーナルファイルに記録された際に発行された各レシートの一部の情報をそれぞれ取得し、取得した情報を並べて印刷手段に印刷させる印刷制御手段、として機能させることを特徴とする。
また、本発明に係る第２の態様のプログラムは、情報処理装置のコンピュータを、実施された取引に関する取引データを電子ジャーナルファイルに記録するとともに前記取引データに基づくレシートを発行する記録制御手段、取引データが前記電子ジャーナルファイルに記録された際に発行されたレシートの一部の情報が省かれたサマリー情報を、複数の取引データを対象にして並べて印刷手段に印刷させる印刷制御手段、として機能させ、前記印刷制御手段は、前記サマリー情報をレシートが発行されたときの印刷イメージで前記印刷手段に印刷させる、ことを特徴とする。
【手続補正４】
【補正対象書類名】特許請求の範囲
【補正対象項目名】全文
【補正方法】変更
【補正の内容】
【特許請求の範囲】
【請求項１】
実施された取引に関する取引データを電子ジャーナルファイルに記録するとともに前記取引データに基づくレシートを発行する記録制御手段と、
複数の取引データのそれぞれが前記電子ジャーナルファイルに記録された際に発行された各レシートの一部の情報をそれぞれ取得し、取得した情報を並べて印刷手段に印刷させる印刷制御手段と、
を備える情報処理装置。
【請求項２】
前記印刷制御手段は、前記電子ジャーナルファイルに記録された際に発行された各レシートの一部の情報を前記各レシートが発行されたときの印刷イメージで並べて前記印刷手段に印刷させる請求項１に記載の情報処理装置。
【請求項３】
前記印刷手段に印刷される前記レシートの一部の情報には、少なくとも取引種別、取引固有情報、日時情報、担当者情報、取引明細情報の一部、のいずれかが含まれる請求項１又は２に記載の情報処理装置。
【請求項４】
前記複数の取引データは、指定された日に記録された複数の取引データである請求項１〜３のいずれか一項に記載の情報処理装置。
【請求項５】
前記複数の取引データは、指定された日に記録された複数の取引データのうち指定された条件に合致する取引データである請求項１〜３のいずれか一項に記載の情報処理装置。
【請求項６】
実施された取引に関する取引データを電子ジャーナルファイルに記録するとともに前記取引データに基づくレシートを発行する記録制御手段と、
取引データが前記電子ジャーナルファイルに記録された際に発行されたレシートの一部の情報が省かれたサマリー情報を、複数の取引データを対象にして並べて印刷手段に印刷させる印刷制御手段と、
を備え、
前記印刷制御手段は、前記サマリー情報をレシートが発行されたときの印刷イメージで前記印刷手段に印刷させる、
情報処理装置。
【請求項７】
情報処理装置が実行する情報確認支援方法であって、
実施された取引に関する取引データを電子ジャーナルファイルに記録するとともに前記取引データに基づくレシートを発行する記録制御処理と、
複数の取引データのそれぞれが前記電子ジャーナルファイルに記録された際に発行された各レシートの一部の情報をそれぞれ取得し、取得した情報を並べて印刷手段に印刷させる印刷制御処理と、
を含む情報確認支援方法。
【請求項８】
情報処理装置が実行する情報確認支援方法であって、
実施された取引に関する取引データを電子ジャーナルファイルに記録するとともに前記取引データに基づくレシートを発行する記録制御処理と、
取引データが前記電子ジャーナルファイルに記録された際に発行されたレシートの一部の情報が省かれたサマリー情報を、複数の取引データを対象にして並べて印刷手段に印刷させる印刷制御処理と、
を含み、
前記印刷制御処理は、前記サマリー情報をレシートが発行されたときの印刷イメージで前記印刷手段に印刷させる、
情報確認支援方法。
【請求項９】
情報処理装置のコンピュータを、
実施された取引に関する取引データを電子ジャーナルファイルに記録するとともに前記取引データに基づくレシートを発行する記録制御手段、
複数の取引データのそれぞれが前記電子ジャーナルファイルに記録された際に発行された各レシートの一部の情報をそれぞれ取得し、取得した情報を並べて印刷手段に印刷させる印刷制御手段、
として機能させるためのプログラム。
【請求項１０】
情報処理装置のコンピュータを、
実施された取引に関する取引データを電子ジャーナルファイルに記録するとともに前記取引データに基づくレシートを発行する記録制御手段、
取引データが前記電子ジャーナルファイルに記録された際に発行されたレシートの一部の情報が省かれたサマリー情報を、複数の取引データを対象にして並べて印刷手段に印刷させる印刷制御手段、
として機能させ、
前記印刷制御手段は、前記サマリー情報をレシートが発行されたときの印刷イメージで前記印刷手段に印刷させる、
プログラム。